(57)【要約】      （修正有）【課題】線材と板ばねとの間の電気的な接続をより確実なものとするレンズ駆動装置を提供すること。【解決手段】レンズ駆動装置は、コイル３に流れる電流と磁石が発生する磁界とで力を発生させて板ばね６で支持されているレンズ保持部材２をレンズ体の光軸方向に沿って移動させる。コイル３は、レンズ保持部材２に保持される巻回部と、巻回部に繋がる延在部３３Ａと、を有する。レンズ保持部材２は、延在部３３Ａを構成する線材が巻き付けられる保持部７２Ａと、線材部分を板ばね６に接着させる導電性接着剤が配置される空間である収容部を囲む突堤部８２と、突堤部８２側への板ばね６の移動を規制する１又は複数のストッパ部ＳＰとを有する。ストッパ部ＳＰは、保持部７２Ａにおける線材の巻き付け始点である第１湾曲部ＷＰよりも板ばね６の側に突出している。【選択図】図２０
2019082641.tif 000002
【特許請求の範囲】
【請求項１】
レンズ体を保持可能なレンズ保持部材と、前記レンズ保持部材の外側に保持されるコイルと、前記コイルに対向して配置される磁石とを備え、前記コイルに流れる電流と前記磁石が発生する磁界とで力を発生させて板ばねで支持されている前記レンズ保持部材を光軸方向に沿って移動させるレンズ駆動装置であって、
前記コイルは、前記レンズ保持部材に保持される巻回部と、前記巻回部に繋がる延在部と、を有し、
前記レンズ保持部材は、前記延在部を構成する線材の巻き付け部が巻き付けられる保持部と、前記巻き付け部と前記巻回部との間に位置する線材部分を前記板ばねに接着させる導電性接着剤が配置される空間を囲む突堤部と、前記突堤部側への前記板ばねの移動を規制する１又は複数のストッパ部と、を有し、
前記ストッパ部は、前記保持部における前記線材の巻き付け始点よりも前記板ばねの側に突出している、
レンズ駆動装置。
【請求項２】
前記ストッパ部の少なくとも１つは、前記突堤部の外側に配置されている、
請求項１に記載のレンズ駆動装置。
【請求項３】
前記ストッパ部の少なくとも１つは、前記突堤部の一部を構成している、
請求項１又は２に記載のレンズ駆動装置。
【請求項４】
前記保持部は、前記突堤部の内側に配置されて前記突堤部の一部を構成し、
前記突堤部には、前記保持部から離れた位置において前記線材部分を通過させる開放部が形成されており、
前記突堤部の内側には、傾斜内底面が形成され、
前記傾斜内底面は、前記空間を通る前記線材部分に対向し、前記開放部側から遠ざかるにつれて上るように傾斜し、且つ、前記保持部に隣接している、
請求項１乃至３の何れかに記載のレンズ駆動装置。
【請求項５】
前記板ばねは、前記突堤部と対向する部分のうち、前記傾斜内底面に対向する部分以外の部分に切欠部を有する、
請求項４に記載のレンズ駆動装置。
【請求項６】
請求項１乃至５の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、例えばカメラ付き携帯機器に搭載されるレンズ駆動装置、及び、レンズ駆動装置を含むカメラモジュールに関する。
【背景技術】
【０００２】
従来、レンズ保持部材と、レンズ保持部材の外周に配置されるコイルと、レンズ保持部材を光軸方向に移動可能に支持する板ばねとを含むレンズ駆動装置が知られている（特許文献１参照。）。レンズ保持部材の撮像素子側には板ばねの一部が固定されている。また、コイルを構成する線材の端部は、レンズ保持部材から撮像素子側に突出する四角柱状の保持部に巻き付けられている。そして、線材は、保持部の近くに形成されている突堤部で囲まれた収容部を通る部分で、その収容部に塗布された導電性接着剤を介して板ばねに電気的に接続されている。
【０００３】
そして、このレンズ駆動装置の組み立て工程では、板ばねは、導電性接着剤が収容部に塗布された後で、その導電性接着剤と接するようにレンズ保持部材の上に置かれ、レンズ保持部材の一部が熱でかしめられることでレンズ保持部材に固定される。
【先行技術文献】
【特許文献】
【０００４】
【特許文献１】特開２０１６−２１２１３３号公報
【発明の概要】
【発明が解決しようとする課題】
【０００５】
しかしながら、上記組み立て工程では、導電性接着剤による線材と板ばねとの電気的な接続が不十分となってしまうおそれがある。板ばねは、熱かしめの際に変位する等して、その一部がレンズ保持部材に接近し、収容部に塗布された導電性接着剤を収容部から押し出してしまう場合があるためである。また、収容部から押し出されてしまった導電性接着剤は、線材の周囲を適切に覆うことができなくなってしまうためである。
【０００６】
そこで、コイルを構成する線材と板ばねとの間の電気的な接続をより確実なものとするレンズ駆動装置を提供することが望ましい。
【課題を解決するための手段】
【０００７】
本発明の実施形態に係るレンズ駆動装置は、レンズ体を保持可能なレンズ保持部材と、前記レンズ保持部材の外側に保持されるコイルと、前記コイルに対向して配置される磁石とを備え、前記コイルに流れる電流と前記磁石が発生する磁界とで力を発生させて板ばねで支持されている前記レンズ保持部材を光軸方向に沿って移動させるレンズ駆動装置であって、前記コイルは、前記レンズ保持部材に保持される巻回部と、前記巻回部に繋がる延在部と、を有し、前記レンズ保持部材は、前記延在部を構成する線材の巻き付け部が巻き付けられる保持部と、前記巻き付け部と前記巻回部との間に位置する線材部分を前記板ばねに接着させる導電性接着剤が配置される空間を囲む突堤部と、前記突堤部側への前記板ばねの移動を規制する１又は複数のストッパ部と、を有し、前記ストッパ部は、前記保持部における前記線材の巻き付け始点よりも前記板ばねの側に突出している。
【発明の効果】
【０００８】
上述の手段により、コイルを構成する線材と板ばねとの間の電気的な接続をより確実なものとするレンズ駆動装置が提供される。
【図面の簡単な説明】
【０００９】
【図１】レンズ駆動装置の分解斜視図である。
【図２】レンズ駆動装置の上方斜視図及び正面図である。
【図３】レンズ駆動装置の上面図及び底面図である。
【図４】カバー部材が省略された状態にあるレンズ駆動装置の上方斜視図及び側面図である。
【図５】レンズ保持部材の上方斜視図である。
【図６】レンズ保持部材の下方斜視図である。
【図７】レンズ保持部材の上面図及び側面図である。
【図８】レンズ保持部材の下方斜視図である。
【図９】レンズ保持部材の一部の拡大図である。
【図１０】一部の部材が省略された状態にあるレンズ駆動装置の底面図である。
【図１１】上側板ばね及び下側板ばねの上面図である。
【図１２】レンズ駆動装置における板ばねとコイルとの接続の一例を説明する図である。
【図１３】レンズ駆動装置のベース部材の上方斜視図である。
【図１４】レンズ保持部材における保持部の構成例を示す図である。
【図１５】保持部とコイルの延在部との位置関係を示す図である。
【図１６】コイルが取り付けられたレンズ保持部材の底面図である。
【図１７】レンズ保持部材の底面図である。
【図１８】突堤部の拡大図である。
【図１９】突堤部の拡大図である。
【図２０】ストッパ部の構成例を示す図である。
【図２１】ストッパ部の別の構成例を示す図である。
【発明を実施するための形態】
【００１０】
以下、本発明の実施形態に係るレンズ駆動装置１０１について図面を参照して説明する。図１は、レンズ駆動装置１０１の分解斜視図である。図２（Ａ）は、レンズ駆動装置１０１の上方斜視図であり、図２（Ｂ）は、Ｙ２側から見たレンズ駆動装置１０１の正面図である。図３（Ａ）は、レンズ駆動装置１０１の上面図であり、図３（Ｂ）は、レンズ駆動装置１０１の底面図である。図４（Ａ）は、ヨーク４を省略した状態のレンズ駆動装置１０１の上方斜視図であり、図２（Ａ）に対応する。図４（Ｂ）は、Ｘ２側から見た、ヨーク４を省略した状態のレンズ駆動装置１０１の側面図である。
【００１１】
レンズ駆動装置１０１は、図１に示すように、レンズ体（図示せず。）を保持可能なレンズ保持部材２と、レンズ保持部材２をレンズ体に関する光軸方向ＪＤ（Ｚ軸方向）に沿って移動させる駆動機構ＭＫと、レンズ保持部材２を光軸方向ＪＤに移動可能に支持する板ばね６と、板ばね６が固定される固定側部材ＲＧと、外部との電気的な接続をもたらす端子７とを含む。レンズ体は、例えば、少なくとも１枚のレンズを備えた筒状のレンズバレルであり、その中心軸線が光軸方向ＪＤに沿うように構成されている。
【００１２】
駆動機構ＭＫは、図１に示すように、八角環状に巻かれたコイル３と、矩形箱状の外側ケースを兼ねたヨーク４と、コイル３の二辺と対向して配置された２つの磁石５とを含む。固定側部材ＲＧは、ヨーク４と、端子７が埋め込まれたベース部材１８とを含む。板ばね６は、レンズ保持部材２とヨーク４との間に配置される上側板ばね１６と、レンズ保持部材２とベース部材１８との間に配置される２つの下側板ばね２６Ａ、２６Ｂとを含む。
【００１３】
レンズ駆動装置１０１は、略直方体形状を有し、撮像素子（図示せず。）を実装した基板（図示せず。）の上に取り付けられる。レンズ駆動装置１０１と、レンズ保持部材２に装着されたレンズ体と、レンズ体に対向するように基板に実装された撮像素子とはカメラモジュールを構成する。また、基板もカメラモジュールを構成する。コイル３は、下側板ばね２６Ａ、２６Ｂ、端子７及び基板を介して電源に接続される。コイル３に電流が流れると、駆動機構ＭＫは、光軸方向ＪＤに沿った電磁力を発生させる。
【００１４】
レンズ駆動装置１０１は、この電磁力を利用し、撮像素子のＺ１側（被写体側）で、光軸方向ＪＤに沿ってレンズ保持部材２を移動させる。レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１５】
次に、レンズ保持部材２と駆動機構ＭＫについて説明する。図５（Ａ）は、レンズ保持部材２の上方斜視図であり、図５（Ｂ）は、図５（Ａ）のレンズ保持部材２にコイル３が巻かれた状態を示す上方斜視図である。図６（Ａ）は、レンズ保持部材２の下方斜視図であり、図６（Ｂ）は、図６（Ａ）のレンズ保持部材２にコイル３が巻かれた状態を示す下方斜視図である。図７（Ａ）は、レンズ保持部材２の上面図であり、図７（Ｂ）は、Ｘ１側から見たレンズ保持部材２の側面図である。図８（Ａ）は、レンズ保持部材２の下方斜視図であり、図８（Ｂ）は、図８（Ａ）に示すレンズ保持部材２にコイル３が巻かれた状態を示す下方斜視図である。図９（Ａ）は、図８（Ｂ）に示す部分Ｓの拡大図であり、図９（Ｂ）は、図６（Ｂ）に示す部分Ｐの拡大図である。図１０（Ａ）は、端子７及びベース部材１８が省略された状態のレンズ駆動装置１０１の底面図であり、図１０（Ｂ）は、更に下側板ばね２６Ａ、下側板ばね２６Ｂ及びレンズ保持部材２が省略された状態のレンズ駆動装置１０１の底面図である。
【００１６】
本実施形態では、レンズ保持部材２は、液晶ポリマー（ＬＣＰ）等の合成樹脂を射出成形することで作製されている。具体的には、レンズ保持部材２は、図５（Ａ）に示すように、光軸方向ＪＤに沿って貫通されるように形成された筒状部１２と、光軸方向ＪＤにおける撮像素子側（Ｚ２側）に形成されたフランジ部（鍔部）５２とを含む。筒状部１２は、光軸方向ＪＤにおける被写体側（Ｚ１側）においては、円筒状に形成されている。
【００１７】
筒状部１２は、レンズ体が装着されるように、円筒状の内周面を有している。レンズ体は、例えば、接着剤によって筒状部１２に固定される。また、筒状部１２には、被写体側の端面に２つの窪み１２ｄｈを有した台座部１２ｄが光軸を挟んで２箇所に設けられている。台座部１２ｄには、図４（Ａ）に示すように、上側板ばね１６の内側部分１６ｉが載置される。
【００１８】
筒状部１２の外周面には、図５（Ａ）に示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。コイル支持部１２ｊの被写体側には、光軸方向ＪＤにおいてフランジ部５２と対向するように径方向外側に突出した庇部１２ｈ（図７（Ａ）及び図７（Ｂ）参照。）が４箇所形成されている。そして、図５（Ｂ）に示すように、コイル３は、コイル支持部１２ｊに支持され且つ光軸方向ＪＤにおいて庇部１２ｈとフランジ部５２との間に挟まれるようにしてレンズ保持部材２の外周面側に八角環状に巻かれている。
【００１９】
フランジ部５２は、筒状部１２の撮像素子側（Ｚ２側）における外周面から径方向外側に突出している。フランジ部５２の被写体側にはコイル３が配置されている。フランジ部５２には、図６（Ｂ）に示すように、レンズ体の光軸を挟んで切欠部５２ｋが２つ形成されている。そして、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されている。縁部と接するコイル３の線材が断線するのを防止し或いは抑制するためである。
【００２０】
フランジ部５２は、図６（Ａ）に示すように、撮像素子側（Ｚ２側）の面から下方（Ｚ２方向）に突出した、角形凸状の２つの保持部７２と、６つの板ばね支持部２ｓと、丸形凸状の６つの突設部２ｔと、３つの壁部（内側壁部８２ｕ、外側壁部８２ｖ、側壁部８２ｗ）で形成された２つの突堤部８２とを含む。突設部２ｔは、板ばね支持部２ｓから更に下方（Ｚ２方向）に突出するように形成されている。
【００２１】
保持部７２は、図６（Ｂ）に示すように、コイル３（巻回部１３）の巻き始め側に対応する保持部７２Ａと、コイル３（巻回部１３）の巻き終わり側に対応する保持部７２Ｂを含む。コイル３の両端は、保持部７２に巻き付けられて保持されている。
【００２２】
板ばね支持部２ｓは、下側板ばね２６Ａ、２６Ｂと接触して下側板ばね２６Ａ、２６Ｂを支持する。具体的には、６つの板ばね支持部２ｓのそれぞれの端面は、同一平面に含まれ、下側板ばね２６Ａ、２６ＢのＺ１側の面と接触して下側板ばね２６Ａ、２６Ｂを支持する。
【００２３】
突設部２ｔは、図６（Ａ）及び図１０（Ａ）に示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの内側部分２６ｉが装着されて固定されている。下側板ばね２６Ａ及び下側板ばね２６Ｂのそれぞれの内側部分２６ｉの固定は、内側部分２６ｉに形成された貫通孔に挿通された突設部２ｔに熱かしめ又は冷間かしめ（以下、「熱かしめ等」とする。）を施すことによって実現される。図６〜図１０では、突設部２ｔは、熱かしめ等が施された後の先端が変形した状態で図示されている。
【００２４】
突堤部８２は、図６（Ａ）に示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９（Ａ）に示すように、壁部が切り欠かれた開放部８２ｚが形成されている。そして、３つの壁部（内側壁部８２ｕ、外側壁部８２ｖ、側壁部８２ｗ）で囲われた空間が収容部８２ｓを形成している。収容部８２ｓは、コイル３の延在部３３Ａ、３３Ｂと下側板ばね２６Ａ、２６Ｂとを接続する導電性接着剤を収容できるように構成されている。本実施形態では、突堤部８２が保持部７２と隣り合う位置に形成されているので、保持部７２の側壁（側面）は、突堤部８２の側壁部８２ｗとして好適に利用されている。すなわち、保持部７２は、突堤部８２の内側に配置されると共に、保持部７２の外側に位置する外側壁部８２ｖ及び側壁部８２ｗと隣接して設けられている（図１７（Ａ）参照。）。したがって、保持部７２の側壁（側面Ｓ３、Ｓ４）は、収容部８２ｓを囲む突堤部８２（側壁部８２ｗ）の一部を構成する。そして、収容部８２ｓは、保持部７２と隣り合う位置に設けられている。また、本実施形態では、開放部８２ｚの外側に段部８２ｘが形成されている。段部８２ｘは、突堤部８２の内側から外側に導電性接着剤が漏れ出すのを防止する。但し、段部８２ｘは省略されてもよい。
【００２５】
次に、レンズ駆動装置１０１の駆動機構ＭＫについて説明する。駆動機構ＭＫは、図１０（Ｂ）に示すように、コイル３と、ヨーク４と、ヨーク４の二辺のそれぞれと対向するように配置された２つの磁石５とを含む。そして、駆動機構ＭＫは、コイル３に流れる電流と磁石５が発生する磁界とで駆動力（推力）を発生させ、レンズ保持部材２を光軸方向ＪＤに沿って上下に移動させる。
【００２６】
コイル３は、図６（Ｂ）に示すように、レンズ保持部材２の外周に導電性の線材を巻回して形成されている。コイル３は、八角環状に巻かれて形成された巻回部１３と、巻回部１３から延びて保持部７２に巻き付けられる延在部３３とを含む。図６（Ｂ）は、明瞭化のため、巻回部１３に関しては、絶縁部材で表面を被覆された導電性の線材の詳細な巻回状態の図示を省略している。巻回部１３を図示する他の図についても同様である。なお、コイル３（巻回部１３）は、前述したように、庇部１２ｈとフランジ部５２との間で、レンズ保持部材２の外側に保持されている。そして、本実施形態では、コイル支持部１２ｊと巻回部１３とは接着剤により固定されている。
【００２７】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００２８】
具体的には、延在部３３Ａは、図９（Ａ）に示すように、保持部７２Ａに巻き付けられる巻き付け部３３ｍと、収容部８２ｓの内底面ＢＳ（Ｚ１側の面）と対向して延びる接続部３３ｃと、切欠部５２ｋに挿通されてフランジ部５２の撮像素子側（Ｚ２側）から被写体側（Ｚ１側）に延びる挿通部３３ｋとを含む。延在部３３Ｂは、図９（Ｂ）に示すように、保持部７２Ｂに巻き付けられる巻き付け部３３ｍと、収容部８２ｓの内底面ＢＳ（Ｚ１側の面）と対向して延びる接続部３３ｃと、切欠部５２ｋに挿通されてフランジ部５２の撮像素子側（Ｚ２側）から被写体側（Ｚ１側）に延びる挿通部３３ｋとを含む。
【００２９】
本実施形態では、延在部３３Ａは、コイル３の線材がレンズ保持部材２の外周に巻き付けられる前に、レンズ保持部材２の保持部７２Ａに巻き付けられる。図９（Ａ）に示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。すなわち、巻回部１３が形成された後で、巻回部１３の巻き始め部分から延びている延在部３３Ａが保持部７２Ａに巻き付けられてもよい。なお、この場合には、保持部７２Ａへの巻き付けに必要な長さより長い延在部３３Ａが確保された状態で巻回部１３が形成される。
【００３０】
次に、レンズ保持部材２の外周に線材が巻き付けられる。その際には、図９（Ａ）に示すように、巻き付け部３３ｍから延びる線材は、収容部８２ｓの内底面ＢＳと対向するとともに、壁部が切り欠かれた開放部８２ｚを通る。そして、線材は、フランジ部５２の下側から切欠部５２ｋを通ってフランジ部５２の上側に延びる。このとき、収容部８２ｓの内底面ＢＳと対向する部分が延在部３３Ａの接続部３３ｃを構成し、切欠部５２ｋを通る部分が延在部３３Ａの挿通部３３ｋを構成する。
【００３１】
延在部３３Ａの挿通部３３ｋは、フランジ部５２の下側から上側に延びる際、図９（Ａ）に示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００３２】
レンズ保持部材２の外周に巻回されたコイル３の巻回部１３は、図５（Ｂ）に示すように、レンズ保持部材２の周囲を囲む位置に配置されている。また、巻回部１３は、コイル支持部１２ｊ（図５（Ａ）参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸は、レンズ保持部材２及びコイル３のそれぞれの中心軸と容易に一致するように構成されている。
【００３３】
レンズ保持部材２の外周への線材の巻き付けが終了すると、巻回部１３の巻き終わり側の端部に繋がる延在部３３Ｂは、図９（Ｂ）に示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面ＢＳと対向して延び、巻き付け部３３ｍがレンズ保持部材２の保持部７２Ｂに巻き付けられる。図９（Ｂ）に示す例では、延在部３３Ｂは、保持部７２Ｂに３ターン巻き付けられている。
【００３４】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの間隔の増大が回避され、レンズ駆動装置１０１の寸法が光軸方向ＪＤにおいて大きくなるのが抑制され得る。
【００３５】
次に、駆動機構ＭＫを構成するヨーク４について説明する。本実施形態では、ヨーク４は、鉄等の軟磁性体材料で形成された板材に抜き加工及び絞り加工を施して作製されている。具体的には、図１に示すように、収納部４ｓを定める箱状の外形を有する。そして、ヨーク４は、矩形環状の外壁部４Ａと、外壁部４Ａの上端（Ｚ１側の端）と連続するように設けられた平板状の上面部４Ｂとを有する。上面部４Ｂは、磁石５と対向する部分に複数（本実施形態では４つ）の受け部４Ｒを有する。受け部４Ｒは、ヨーク４と磁石５との間に配置される上側板ばね１６の外側部分１６ｅ（図１１（Ａ）参照。）を受ける部分、すなわち、上側板ばね１６の外側部分１６ｅと接触する部分である。本実施形態では、上面（Ｚ１側の面）が窪むように、すなわち、下面（Ｚ２側の面）が磁石５側（Ｚ２側）に突出するように形成されている。この構成により、受け部４Ｒは、上側板ばね１６の内側部分１６ｉ（図１１（Ａ）参照。）が動ける空間を形成するためのすスペーサとしての機能を果たす。このように構成されたヨーク４は、図１０（Ｂ）に示すように、コイル３及び磁石５を収納部４ｓに収容し、且つ、図２に示すように、ベース部材１８に結合されてベース部材１８とともに筐体を構成する。但し、ヨーク４は、オーステナイト系ステンレス鋼等の非磁性体で形成されたカバーで置き換えられてもよい。
【００３６】
次に、駆動機構ＭＫを構成する磁石５について説明する。磁石５は、図１に示すように直方体形状を有する。そして、２つの磁石５は、図１０（Ｂ）に示すように、コイル３の外側に位置するとともに、ヨーク４を構成する矩形環状の外壁部４Ａの対向する二辺のそれぞれに沿うように配置されている。そして、接着剤により、ヨーク４に固定されている。また、磁石５は、例えば、内側がＮ極、外側がＳ極となるように配置されている。
【００３７】
次に、板ばね６及び固定側部材ＲＧについて説明する。図１１は、板ばね６を説明する図である。図１１（Ａ）は、上側板ばね１６の上面図であり、図１１（Ｂ）は、下側板ばね２６Ａ及び下側板ばね２６Ｂの上面図である。図１２は、下側板ばね２６Ａとコイル３との接続状態の一例を説明する図である。具体的には、図１２（Ａ）は、図１０（Ａ）に示す部分Ｔの拡大図であり、図１２（Ｂ）は、図１０（Ａ）に示す部分ＴをＸ２側から見たときの下側板ばね２６Ａ、コイル３及びレンズ保持部材２の拡大図である。なお、図１２（Ａ）及び図１２（Ｂ）では、説明を分かり易くするため、導電性接着剤ＣＡがクロスハッチングで示されている。図１３は、固定側部材ＲＧのベース部材１８を説明する図である。具体的には、図１３（Ａ）は、ベース部材１８の上方斜視図であり、図１３（Ｂ）は、ベース部材１８に下側板ばね２６Ａ及び下側板ばね２６Ｂを組み付けた状態の上方斜視図である。
【００３８】
板ばね６は、銅合金を主な材料とした金属板から作製されている。板ばね６は、図１に示すように、レンズ保持部材２とヨーク４との間に配置される上側板ばね１６と、レンズ保持部材２とベース部材１８との間に配置される下側板ばね２６Ａ及び下側板ばね２６Ｂとを含む。レンズ保持部材２と板ばね６（上側板ばね１６、下側板ばね２６Ａ、下側板ばね２６Ｂ）のそれぞれとが係合された状態で、板ばね６は、レンズ保持部材２が光軸方向ＪＤ（Ｚ軸方向）へ移動可能となるように、レンズ保持部材２を空中で支持している。下側板ばね２６Ａ及び下側板ばね２６Ｂは、コイル３に電流を供給するための給電部材として機能する。そのため、下側板ばね２６Ａはコイル３の一端に電気的に接続され、下側板ばね２６Ｂはコイル３の他端に電気的に接続されている。上側板ばね１６とヨーク４との間にはスペーサが配置されていてもよい。レンズ保持部材２がＺ１方向に移動したときにレンズ保持部材２とヨーク４とが衝突するのを防止するためである。
【００３９】
上側板ばね１６は、図１１（Ａ）に示すように、略矩形状を有し、レンズ保持部材２に固定される可動側支持部としての内側部分１６ｉと、固定側部材ＲＧに固定される固定側支持部としての外側部分１６ｅと、内側部分１６ｉと外側部分１６ｅとの間に位置する４箇所の弾性腕部１６ｇとを含む。具体的には、内側部分１６ｉは、中心を挟んで対向する２箇所に設けられている。外側部分１６ｅは、４箇所の角部分１６ｂと、角部分１６ｂを繋ぐ２つの桟部１６ｒとを有している。桟部１６ｒは、ヨーク４の受け部４Ｒと磁石５とで挟持されて固定される。ヨーク４及び磁石５は、固定側部材ＲＧとして機能する。
【００４０】
上側板ばね１６がレンズ駆動装置１０１に組み込まれた際には、図４（Ａ）に示すように、内側部分１６ｉは、レンズ保持部材２の台座部１２ｄ（図５（Ａ）参照。）に載置される。そして、内側部分１６ｉと台座部１２ｄとを接着剤で固定することにより、内側部分１６ｉはレンズ保持部材２に固定される。外側部分１６ｅは、図４（Ｂ）に示すように、磁石５の上面（Ｚ１側の面）に接し、ヨーク４（図示せず。）と磁石５との間に挟持されて固定される。
【００４１】
上側板ばね１６は、図１１（Ａ）に示すように、略左右対称に形成されている。そして、内側部分１６ｉでレンズ保持部材２に固定され、外側部分１６ｅでヨーク４に固定されている。そのため、上側板ばね１６は、レンズ保持部材２をバランス良く空中で支持できる。
【００４２】
下側板ばね２６Ａ及び下側板ばね２６Ｂは、図１１（Ｂ）に示すように、それぞれの内側形状が半円形状となるように構成されている。そして、レンズ保持部材２の撮像素子側に固定される可動側支持部としての内側部分２６ｉと、固定側部材ＲＧに固定される固定側支持部としての外側部分２６ｅと、内側部分２６ｉと外側部分２６ｅとの間に位置する弾性腕部２６ｇとを含む。
【００４３】
下側板ばね２６Ａ及び下側板ばね２６Ｂのそれぞれの内側部分２６ｉは、図１１（Ｂ）に示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００４４】
下側板ばね２６Ａ及び下側板ばね２６Ｂがレンズ駆動装置１０１に組み込まれた際には、図６（Ａ）に示すレンズ保持部材２の６つの突設部２ｔのそれぞれは、図１１（Ｂ）に示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ等を施すことで、レンズ保持部材２に固定される。
【００４５】
以下では、主に下側ばね２６Ａとレンズ保持部材２及びコイル３との関係を説明する。但し、下側ばね２６Ａに関する説明は、下側ばね２６Ｂにも同様に適用される。
【００４６】
下側板ばね２６Ａの内側部分２６ｉの接続板部２６ｈは、図１２（Ｂ）に示すように、レンズ駆動装置１０１が組み立てられた際には、レンズ保持部材２の突堤部８２と対向する。すなわち、接続板部２６ｈの被写体側（Ｚ１側）の面は、図１２（Ａ）に示すように、突堤部８２で形成された収容部８２ｓと対向する。そして、コイル３の延在部３３Ａの接続部３３ｃは、図１２（Ｂ）に示すように、下側板ばね２６Ａの内側部分２６ｉの被写体側の面とレンズ保持部材２のフランジ部５２の撮像素子側（Ｚ２側）の面との間を通って延びる。
【００４７】
内側部分２６ｉの接続板部２６ｈには、図１２（Ａ）に示すように、突堤部８２の開放部８２ｚと対向する位置に、両側から切り欠かれた貫通部２６ｔが設けられ、且つ、外側壁部８２ｖと対向する位置に、Ｕ字形状（半円形状）の切欠部２６ｋが設けられている。貫通部２６ｔは、底面視で、突堤部８２の内側壁部８２ｕ及び外側壁部８２ｖの端部に対応する位置に設けられ、且つ、貫通部２６ｔを構成している壁端面２６ｘがこれらの端部を覆うように設けられている。この配置により、貫通部２６ｔは、導電性接着剤ＣＡが下側板ばね２６ＡのＺ１側の表面を伝ってＹ２側に広がるのを防止している。また、切欠部２６ｋは、収容部８２ｓに対応する位置に形成されている。この配置により、切欠部２６ｋは、導電性接着剤ＣＡが下側板ばね２６ＡのＺ１側の表面を伝って外側壁部８２ｖの側（Ｘ２側）に広がるのを防止している。すなわち、内側壁部８２ｕの側（Ｘ１側）に広がり易くしている。
【００４８】
下側板ばね２６Ａがレンズ保持部材２に組み付けられた際には、図１２（Ｂ）に示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００４９】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが充填され、その後、下側板ばね２６Ａがレンズ保持部材２に装着される。そして、レンズ保持部材２の突設部２ｔに熱かしめ等が施され、且つ、導電性接着剤ＣＡが熱硬化される。導電性接着剤ＣＡの収容部８２ｓへの充填から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。なお、導電性接着剤ＣＡは、熱硬化型に限らず、紫外線硬化型のものであってもよい。
【００５０】
下側板ばね２６Ａの外側部分２６ｅは、図１１（Ｂ）に示すように、ベース部材１８と係合される２つの外側接合部分２６ｄを含む。下側板ばね２６Ａの外側接合部分２６ｄに設けられた貫通孔は、ベース部材１８の上面に設けられた突設部１８ｔ（図１３（Ａ）参照。）と嵌合する。これにより、下側板ばね２６Ａの外側部分２６ｅは、ベース部材１８に位置決めされ且つ固定される。
【００５１】
下側板ばね２６Ａ及び下側板ばね２６Ｂは、図１１（Ｂ）に示すように、略左右対称に形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向ＪＤへ移動可能な状態でバランス良く空中で支持することができる。
【００５２】
次に、固定側部材ＲＧについて説明する。固定側部材ＲＧは、上側板ばね１６を固定するヨーク４及び磁石５と、下側板ばね２６Ａ及び下側板ばね２６Ｂのそれぞれを固定するベース部材１８とを含む。
【００５３】
ベース部材１８は、液晶ポリマー等の合成樹脂を用いた射出成形によって作製される。本実施形態では、ベース部材１８は、図１３（Ａ）に示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめ等が施されて外側接合部分２６ｄに固定される。
【００５４】
ベース部材１８には、図１３（Ａ）に示すように、銅若しくは鉄又はそれらを主成分とする合金等の材料を含む金属板から形成された端子７がインサート成形されて埋め込まれている。端子７は、端子７Ａ〜７Ｃ（図３（Ｂ）参照。）を含み、端子７Ａ〜７Ｃのそれぞれは、一部がベース部材１８の上面（Ｚ１側の面）に露出している。そして、互いに電気的に絶縁されている端子７Ａ〜７Ｃのそれぞれは、撮像素子を実装した基板（図示せず。）に電気的に接続されている。また、端子７Ａは下側板ばね２６Ａに電気的に接続され、端子７Ｂは下側板ばね２６Ｂに電気的に接続され、端子７Ｃはヨーク４に電気的に接続されている。更に、下側板ばね２６Ａはコイル３の一端に電気的に接続され、下側板ばね２６Ｂはコイル３の他端に電気的に接続されている。そのため、コイル３は、端子７と下側板ばね２６Ａ及び下側板ばね２６Ｂとを介して電流の供給を受けることができる。
【００５５】
ベース部材１８には、端子７と同様に、銅若しくは鉄又はそれらを主成分とする合金等の材料を含む金属板から形成された接続部材５７もインサート成形されて埋め込まれている。接続部材５７は、図２に示すように、ヨーク４の四隅の下端部のところで、一部を露出させている。ベース部材１８は、ヨーク４の外壁部４Ａの内面とベース部材１８の外周側面とが組み合わさって位置決めされた後で、接続部材５７とヨーク４の四隅の下端部とが溶接されてヨーク４に固定される。ヨーク４とベース部材１８とは少なくとも部分的に接着剤で固定されてもよい。なお、本実施形態では、Ｙ１側に位置する２つの接続部材５７は、端子７Ｃを構成する金属板と同じ金属板で形成されている。
【００５６】
次に、図１４を参照し、保持部７２の詳細について説明する。図１４は、図１４（Ａ）〜図１４（Ｆ）を含む。図１４（Ａ）は、Ｚ２側から見た保持部７２Ａの底面図である。図１４（Ｂ）は、Ｙ１側から見た保持部７２Ａの側面図である。図１４（Ｃ）は、Ｘ２側から見た保持部７２Ａの側面図である。図１４（Ｄ）は、Ｙ２側から見た保持部７２Ａの側面図である。図１４（Ｅ）は、Ｘ１側から見た保持部７２Ａの側面図である。図１４（Ｆ）は、図１４（Ａ）に示す一点鎖線ＤＬを含む断面を示す。保持部７２Ａと保持部７２Ｂは、図１０（Ａ）に示すように、Ｙ軸に関して左右対称に形成されている。そのため、以下の保持部７２Ａに関する説明は保持部７２Ｂにも適用される。
【００５７】
保持部７２Ａは、図１４に示すように、四角柱状に形成されている。具体的には、４つの側面Ｓ１〜Ｓ４と端面７３を含む。但し、保持部７２Ａは、三角柱、五角柱、六角柱、七角柱、八角柱等の他の多角柱の形状を有していてもよい。また、図１４では、側面Ｓ１の幅Ｗ１は、側面Ｓ２及びＳ４の幅Ｗ２より大きく、側面Ｓ３の幅Ｗ３は、幅Ｗ２より小さい。また、側面Ｓ１と側面Ｓ２、及び、側面Ｓ２と側面Ｓ３は垂直となるように形成され、側面Ｓ３と側面Ｓ４は、二面角が鈍角αとなるように形成されている。すなわち、保持部７２Ａは、略台形断面を有する四角柱の形状を有するように形成されている。そのため、保持部７２Ａに巻き付けられた巻き付け部３３ｍ（図９（Ａ）参照。）は回転し難い。但し、保持部７２Ａは、幅Ｗ１が幅Ｗ３より大きいのであれば、幅Ｗ１が幅Ｗ２より小さくなるように形成されていてもよく、幅Ｗ３が幅Ｗ２より大きくなるように形成されていてもよい。
【００５８】
側面Ｓ１と側面Ｓ２との間の側辺に対応する縁７５−１、側面Ｓ２と側面Ｓ３との間の側辺に対応する縁７５−２、及び、側面Ｓ３と側面Ｓ４との間の側辺に対応する縁７５−３は何れもエッジが立つよう（湾曲しないよう）に成形されている。例えば、レンズ保持部材２は、縁７５−１〜７５−３のそれぞれに対応する金型部分が放電加工で形成された金型による射出成形によって形成されている。
【００５９】
一方で、側面Ｓ１と側面Ｓ４との間の側辺に対応する縁７５−４は、エッジが立たないよう（湾曲するよう）に成形されている。本実施形態では、縁７５−４は、４つの縁７５−１〜７５−４のうち、延在部３３Ａの根本部分から最も遠い位置にある。根本部分は、コイル３の巻き始め側にある延在部３３Ａを構成する１本の線材の一部であり、巻回部１３に近い部分（例えば、巻回部１３から所定の距離範囲内にある部分）を構成し、巻回部１３を構成する線材の一巻き目に繋がっている。そのため、レンズ保持部材２は、例えば、縁７５−４に対応する金型部分が放電加工ではなく切削加工で形成された金型による射出成形によって形成されている。エッジが立たないように縁７５−４が成形される理由は、コイル３の巻回部１３に繋がる延在部３３Ａの線材が保持部７２Ａに巻き付けられる際に、縁７５−４と接触するその線材の表面に過度の力が掛からないようにするためである。この構成により、コイル３の線材は、保持部７２Ａに巻き付けられる際に断線し難くなる。
【００６０】
保持部７２Ａの端面７３は、図１４（Ａ）に示すように、平坦部７３ｆと、平坦部７３ｆから隆起する隆起部７３ｒとを有する。平坦部７３ｆと側面Ｓ１〜Ｓ４のそれぞれとは直交している。
【００６１】
平坦部７３ｆは、図１４（Ａ）に示すように、端面７３の縁に沿って環状に形成されている。具体的には、底面視で台形状の外形を有する端面７３の四辺に対応する４つの縁７６−１〜７６−４に沿って環状に形成されている。図１４（Ａ）では、４つの縁７６−１〜７６−４のそれぞれに沿って連続するように形成された４つの平坦部７３ｆは、等しい大きさの幅Ｗａを有する。但し、４つの平坦部７３ｆは、幅が互いに異なるように形成されていてもよい。
【００６２】
４つの縁７６−１〜７６−４は何れもエッジが立つよう（湾曲しないよう）に形成されている。すなわち、保持部７２Ａは、縁７６のところで先細りしないように形成されている。そのため、レンズ保持部材２は、例えば、縁７６に対応する部分に金型の合わせ面が位置するように構成された入れ子構造の金型による射出成形によって形成されている。
【００６３】
隆起部７３ｒは、端部７３ｒ１及び連結部７３ｒ２を含む。端部７３ｒ１は、隆起が始まる部分である。連結部７３ｒ２は、２つ以上の端部７３ｒ１を連結する部分である。また、連結部７３ｒ２は、平坦部７３ｆと平行な平面によって形成されている。図１４では、端部７３ｒ１は、曲率半径Ｒの湾曲面を含む。図１４（Ｂ）〜図１４（Ｆ）においては、理解を容易にするために、曲率半径Ｒの円（球）を破線で示している。曲率半径Ｒは、例えば、切削加工で形成された金型で成形可能な最小曲率半径（例えば５０μｍ）である。なお、端部７３ｒ１の湾曲面は、曲率半径Ｒ以上の異なる曲率半径を有する複数の湾曲面で構成されていてもよい。
【００６４】
隆起部７３ｒは、その高さ（平坦部７３ｆからＺ２方向への高さＨａ）が端部７３ｒ１の湾曲面の曲率半径Ｒよりも小さくなるように構成されている。保持部７２Ａの側面Ｓ１〜Ｓ４における平面部分の高さＨ１をできるだけ高くしながら、保持部７２Ａの全高（Ｈ１＋Ｈａ）をできるだけ低くするためである。但し、高さＨａは、所定値（例えば３０μｍ）以上となるように構成される。高さＨａが所定値よりも小さいと、縁７６に打痕が付き難くするという効果が失われてしまうためである。
【００６５】
また、隆起部７３ｒは、図１４（Ｂ）〜図１４（Ｅ）のそれぞれにおいて一点鎖線で示す線分ＴＬと平坦部７３ｆ（ＸＹ平面）との間に形成される角度が所定角度θ以上となるように構成されている。線分ＴＬは、例えば、端部７３ｒ１の湾曲面に関する接線のうち縁７６を通る接線である。この構成により、隆起部７３ｒは、保持部７２Ａの端面７３を構成する縁７６に他の部材が直接接触するのを抑制或いは防止できる。平坦な表面を有する他の部材は、その表面と保持部７２Ａの平坦部７３ｆ（ＸＹ平面）との間に形成される角度が所定角度θ未満であれば、Ｚ１方向に移動しながら保持部７２Ａに接近する際に最初に隆起部７３ｒに接触するためである。すなわち、隆起部７３ｒに接触することなく縁７６のみに接触することはないためである。
【００６６】
同様に、隆起部７３ｒは、図１４（Ｆ）の一点鎖線で示す線分ＴＬｕと平坦部７３ｆ（ＸＹ平面）との間に形成される角度が所定角度θｕ以上となるように構成されている。また、隆起部７３ｒは、図１４（Ｆ）の一点鎖線で示す線分ＴＬｖと平坦部７３ｆ（ＸＹ平面）との間に形成される角度が所定角度θｖ以上となるように構成されている。線分ＴＬｕ及び線分ＴＬｖは、例えば、端部７３ｒ１の湾曲面に関する接線のうち縁７５及び縁７６を通る接線である。この構成により、隆起部７３ｒは、縁７５−２と縁７６が形成する角に他の部材が直接接触するのを抑制或いは防止できる。平坦な表面を有する他の部材は、その表面と保持部７２Ａの平坦部７３ｆ（ＸＹ平面）との間に形成される角度が所定角度θｕ未満であれば、隆起部７３ｒに接触することなくその角のみに接触することはないためである。また、隆起部７３ｒは、縁７５−４と縁７６が形成する角（エッジ部分）に他の部材が直接接触するのを抑制或いは防止できる。平坦な表面を有する他の部材は、その表面と保持部７２Ａの平坦部７３ｆ（ＸＹ平面）との間に形成される角度が所定角度θｖ未満であれば、隆起部７３ｒに接触することなくそのエッジ部分のみに接触することはないためである。
【００６７】
また、縁７６−１〜７６−４に対応する部分に金型の合わせ面が位置する状態で成形されるレンズ保持部材２は、平坦部７３ｆの幅Ｗａが所定幅よりも大きくなるように構成されている。成形品としてのレンズ保持部材２が入れ子構造の金型から確実に取り外されるようにするためである。例えば、図１４では、平坦部７３ｆの幅Ｗａは２０μｍである。そして、隆起部７３ｒは、その高さＨａが幅Ｗａよりも大きくなるように構成されている。結果として、隆起部７３ｒは、例えば、平坦部７３ｆの幅Ｗａが小さいほど高さＨａが低くなるように構成される。
【００６８】
次に、図１５を参照し、保持部７２Ａと保持部７２Ａに巻き付けられるコイル３の延在部３３Ａとの関係について説明する。図１５は、保持部７２Ａと延在部３３Ａの位置関係を示す図であり、図１５（Ａ１）、図１５（Ａ２）、図１５（Ｂ１）及び図１５（Ｂ２）を含む。図１５（Ａ１）及び図１５（Ａ２）は、延在部３３Ａが巻き付けられていない保持部７２Ａに関する２つの斜視図である。図１５（Ｂ１）及び図１５（Ｂ２）は、延在部３３Ａが巻き付けられた保持部７２Ａに関する２つの斜視図であり、図１５（Ｂ１）が図１５（Ａ１）に対応し、図１５（Ｂ２）が図１５（Ａ２）に対応する。なお、図１５を参照して行われる以降の説明は、最初に線材がレンズ保持部材２の外周に巻き付けられて巻回部１３が形成された後に、巻回部１３から所定の長さで延びている延在部３３Ａが保持部７２Ａに巻き付けられる構成に基づく。
【００６９】
延在部３３Ａは、図１５（Ｂ１）及び図１５（Ｂ２）に示すように、保持部７２Ａに３ターン巻き付けられている。具体的には、延在部３３Ａの巻き付け部３３ｍでは、巻回部１３から延びて開放部８２ｚを通過した線材が、最初に側面Ｓ４と接触した後、湾曲するように形成されている縁７５−４に沿って折り曲げられて第１湾曲部ＷＰを形成した後で側面Ｓ１と接触する。第１湾曲部ＷＰは、線材の巻き付け始点に相当する。その後、巻き付け部３３ｍは、縁７５−１（図１４（Ａ）参照。）で折り曲げられて側面Ｓ２と接触し、縁７５−２（図１４（Ａ）参照。）で折り曲げられて側面Ｓ３と接触し、更には、縁７５−３（図１４（Ａ）参照。）で折り曲げられて再び側面Ｓ４と接触する。
【００７０】
図１５では、コイル３の線材は、保持部７２Ａの根本部分から端面７３に向かって互いに密接するように３ターン巻き付けられ、且つ、切離部ＣＰのところで引きちぎられている。具体的には、コイル３の線材は、３ターン目のところで縁７５−２に沿って折り曲げられ且つ引っ張られて引きちぎられる。そのため、切離部ＣＰは、縁７５−２のところに位置し、且つ、端面７３の縁７６に最も近いところに位置する。
【００７１】
側面Ｓ４は、突堤部８２に囲まれた空間（収容部８２ｓ）を通る線材部分である接続部３３ｃの延在方向に沿うように形成されている。すなわち、接続部３３ｃは、保持部７２Ａの略台形断面の斜辺を構成する縁７６−１（図１４（Ａ）参照。）に沿って、保持部７２Ａと切欠部５２ｋとの間を延びるように配置されている。本実施形態では、接続部３３ｃは、側面Ｓ４に接触している。なお、接続部３３ｃは、保持部７２Ａに巻き付けられた巻き付け部３３ｍに繋がる線材部分であり、突堤部８２で囲まれた空間である収容部８２ｓに塗布された導電性接着剤ＣＡを介して下側板ばね２６Ａに接続される。また、接続部３３ｃは、巻き付け部３３ｍと巻回部１３との間に位置している。
【００７２】
このように、保持部７２Ａの側面Ｓ４は、接続部３３ｃをガイドするガイド部ＧＤとして機能する。具体的には、接続部３３ｃが突堤部８２に乗り上げないよう、或いは、突堤部８２の内壁に接触しないよう、収容部８２ｓ内における接続部３３ｃの配索経路をガイドする。なお、延在部３３Ａを構成する線材が保持部７２Ａに巻き付けられて巻き付け部３３ｍが形成された後で巻回部１３がレンズ保持部材２の外周に形成される場合においても、保持部７２Ａの側面Ｓ４は、ガイド部ＧＤとして機能し、収容部８２ｓ内における接続部３３ｃの配索経路をガイドする。
【００７３】
また、本実施形態では、レンズ保持部材２は、ガイド部ＧＤとして機能する突起部７７を有する。突起部７７は、フランジ部５２のＺ２側の面からＺ２方向に突出し、延在部３３Ａと接触するように形成されている。具体的には、接続部３３ｃが突堤部８２に乗り上げないよう、或いは、突堤部８２の内壁に接触しないよう、収容部８２ｓ内における接続部３３ｃの配索経路をガイドするガイド部ＧＤとして機能する。
【００７４】
ここで、図１６を参照し、ガイド部ＧＤによる効果について説明する。図１６は、コイル３が取り付けられたレンズ保持部材２の底面図であり、図１６（Ａ）〜図１６（Ｄ）を含む。具体的には、図１６（Ａ）のレンズ保持部材２は、ガイド部ＧＤとして機能する側面Ｓ４及び突起部７７を含む。図１６（Ｂ）のレンズ保持部材２は、ガイド部ＧＤとして機能する側面Ｓ４を含まずにガイド部ＧＤとして機能する突起部７７を含む。図１６（Ｃ）のレンズ保持部材２は、ガイド部ＧＤとして機能する突起部７７を含まずにガイド部ＧＤとして機能する側面Ｓ４を含む。図１６（Ｄ）のレンズ保持部材２は、ガイド部ＧＤとして機能する側面Ｓ４及び突起部７７の何れをも含んでいない。
【００７５】
図１６（Ａ）のレンズ保持部材２は、ガイド部ＧＤとして機能する側面Ｓ４及び突起部７７を含むため、突堤部８２の内側壁部８２ｕから距離Ｇ１を空けた状態で接続部３３ｃを這わせることができる。この構成により、図１６（Ａ）のレンズ保持部材２は、接続部３３ｃが内側壁部８２ｕに乗り上げてしまうのを防止できる。
【００７６】
また、接続部３３ｃは、突堤部８２の外側壁部８２ｖから、距離Ｇ１よりも大きい距離だけ隔てられた位置に配置されている。そのため、図１６（Ａ）のレンズ保持部材２は、接続部３３ｃが外側壁部８２ｖに乗り上げてしまうのを防止できる。
【００７７】
図１６（Ｂ）のレンズ保持部材２は、接続部３３ｃの延在方向に沿っていない側面Ｓ４Ｘを含むため、ガイド部ＧＤとして機能する側面Ｓ４を含んではいないが、ガイド部ＧＤとして機能する突起部７７を含んでいる。そのため、内側壁部８２ｕの内壁面に沿った状態で接続部３３ｃを這わせることができる。この構成により、図１６（Ｂ）のレンズ保持部材２は、図１６（Ａ）のレンズ保持部材２と比べると確実性で劣るものの、接続部３３ｃが内側壁部８２ｕに乗り上げてしまうのを防止できる。なお、図１６（Ｂ）の例では、接続部３３ｃは内側壁部８２ｕの内壁面に接触していない。
【００７８】
図１６（Ｃ）のレンズ保持部材２は、ガイド部ＧＤとして機能する突起部７７を含んではいないが、ガイド部ＧＤとして機能する側面Ｓ４を含んでいるため、内側壁部８２ｕの内壁面に沿った状態で接続部３３ｃを這わせることができる。この構成により、図１６（Ｃ）のレンズ保持部材２は、図１６（Ａ）のレンズ保持部材２と比べると確実性で劣るものの、接続部３３ｃが内側壁部８２ｕに乗り上げてしまうのを防止できる。なお、図１６（Ａ）及び図１６（Ｃ）のそれぞれに示すレンズ保持部材２においては、ガイド部ＧＤとして機能する側面Ｓ４は、その延長線Ｌ１（図１７（Ａ）参照。）が突堤部８２に形成された開放部８２ｚを通るように構成されている。
【００７９】
図１６（Ｄ）のレンズ保持部材２は、ガイド部ＧＤとして機能する側面Ｓ４及び突起部７７の何れをも含んでいない。そのため、この構成では、内側壁部８２ｕの内壁面に沿った状態で接続部３３ｃを這わせることが困難となるおそれがある。具体的には、接続部３３ｃは、図１６（Ｄ）の破線円ＤＣで示す内側壁部８２ｕの先端部のところで顕著に屈曲している。そのため、図１６（Ｄ）のレンズ保持部材２は、接続部３３ｃが内側壁部８２ｕに乗り上げてしまうのを防止できないおそれがある。
【００８０】
このように、レンズ保持部材２は、ガイド部ＧＤを備えることで、突堤部８２の内側で接続部３３ｃを適切な配索経路に沿って配置できる。また、ガイド部ＧＤを備えない場合に比べ、突堤部８２（内側壁部８２ｕ又は外側壁部８２ｖ）の内壁面と線材（接続部３３ｃ）との間に比較的大きな距離を確保できる。そのため、線材の全周囲が十分な厚みの導電性接着剤ＣＡで覆われるようにし、例えば環境試験後に導電性接着剤ＣＡのところで電気抵抗値が上昇してしまうのを抑えることができる。線材（接続部３３ｃ）は、突堤部８２の内壁面と接触している部分等、突堤部８２の内壁面からの距離が小さい部分では、十分な厚みの導電性接着剤ＣＡで覆われることができないためである。そして、電気抵抗値は、線材（接続部３３ｃ）と導電性接着剤ＣＡとの接触面積が小さいほど不安定になってしまうためである。
【００８１】
次に、図１７を参照し、突起部７７の配置例について説明する。図１７は、レンズ保持部材２の底面図であり、図１７（Ａ）〜図１７（Ｄ）を含む。図１７（Ａ）〜図１７（Ｄ）のそれぞれにおける突起部７７の配置は互いに異なるが、それ以外の構成は共通している。
【００８２】
具体的には、図１７（Ａ）のレンズ保持部材２は、図１６（Ａ）のレンズ保持部材２に対応する。図１７（Ａ）の突起部７７は、Ｙ軸方向において突堤部８２の開放部８２ｚと対向する位置に配置されている。また、内側壁部８２ｕ及び外側壁部８２ｖから距離Ｄ１だけ離れた位置に配置されている。また、保持部７２Ａの側面Ｓ４の延長線Ｌ１が突起部７７の略中心を通るように配置されている。なお、図１７（Ａ）の例では、側面Ｓ４は、延長線Ｌ１が内側壁部８２ｕと接触しないように形成されている。すなわち、側面Ｓ４は、延長線Ｌ１が突堤部８２の開放部８２ｚを通るように形成されている。図１７（Ｂ）及び図１７（Ｃ）の例についても同様である。
【００８３】
この構成により、図１７（Ａ）の突起部７７は、ガイド部ＧＤとして機能し、収容部８２ｓにおける接続部３３ｃ（図１６（Ａ）参照。）の配索経路のばらつきを抑えることができる。そのため、接続部３３ｃが内側壁部８２ｕに乗り上げてしまうのを防止できる。
【００８４】
図１７（Ｂ）の突起部７７は、図１７（Ａ）の突起部７７と同様に、Ｙ軸方向において突堤部８２の開放部８２ｚと対向する位置に配置されている。一方で、図１７（Ｂ）の突起部７７は、図１７（Ａ）の突起部７７と比べ、開放部８２ｚにより近い位置に配置されている。具体的には、内側壁部８２ｕ及び外側壁部８２ｖから距離Ｄ２（＜Ｄ１）だけ離れた位置に配置されている。
【００８５】
この構成により、図１７（Ｂ）の突起部７７は、図１７（Ａ）の突起部７７と同様にガイド部ＧＤとして機能し、収容部８２ｓにおける接続部３３ｃの配索経路のばらつきを抑えることができる。また、図１７（Ａ）の突起部７７に比べ、接続部３３ｃと内側壁部８２ｕとの距離を大きくすることができる。そのため、接続部３３ｃが内側壁部８２ｕに乗り上げてしまうのをより確実に防止できる。
【００８６】
図１７（Ｃ）の突起部７７は、図１７（Ａ）の突起部７７と同様に、Ｙ軸方向において突堤部８２の開放部８２ｚと対向する位置に配置されている。また、内側壁部８２ｕ及び外側壁部８２ｖから距離Ｄ１だけ離れた位置に配置されている。一方で、図１７（Ｃ）の突起部７７は、図１７（Ａ）の突起部７７と比べ、Ｙ軸方向により長い範囲にわたって延びるように配置されている。
【００８７】
この構成により、図１７（Ｃ）の突起部７７は、図１７（Ａ）の突起部７７と同様にガイド部ＧＤとして機能し、収容部８２ｓにおける延在部３３Ａの配索経路のばらつきを抑えることができる。また、延在部３３Ａが突起部７７のＸ１側を通過するのを確実に防止することができる。
【００８８】
図１７（Ｄ）の突起部７７は、図１７（Ａ）〜図１７（Ｃ）における突起部７７と異なり、内側壁部８２ｕに統合されている。具体的には、図１７（Ｄ）の内側壁部８２ｕ（突起部７７）は、図１７（Ａ）の内側壁部８２ｕと比べ、フランジ部５２に形成された切欠部５２ｋのところまで延びるように形成されている。
【００８９】
この構成により、図１７（Ｄ）の内側壁部８２ｕ（突起部７７）は、図１７（Ａ）の突起部７７と同様にガイド部ＧＤとして機能し、収容部８２ｓにおける接続部３３ｃの配索経路のばらつきを抑えることができる。また、収容部８２ｓに配置される導電性接着剤ＣＡがレンズ保持部材２の内側（内側壁部８２ｕのＸ１側）に侵入してしまうのを防止できる。
【００９０】
なお、図１７（Ａ）〜図１７（Ｃ）のそれぞれにおける突起部７７は、突堤部８２の外側に配置された状態でガイド部ＧＤとして機能している。したがって、これらの突起部７７は、突堤部８２で囲まれた空間である収容部８２ｓの外側に位置した状態でガイド部ＧＤとして機能している。これに対し、図１７（Ｄ）の突起部７７は、内側壁部８２ｕに統合されている。そして、ガイド部ＧＤとして機能するのは、内側壁部８２ｕにおける延長されたＹ２側の先端部である。したがって、図１７（Ｄ）の構成では、その先端部が、突堤部８２で囲まれた空間である収容部８２ｓの外側に位置するガイド部ＧＤとしての突起部７７を構成している。
【００９１】
このように、レンズ保持部材２は、ガイド部ＧＤとして機能する突起部７７を備えることで、突堤部８２の内側で接続部３３ｃを適切な配索経路に沿って配置できる。そのため、線材の全周囲が十分な厚みの導電性接着剤ＣＡで覆われるようにし、導電性接着剤ＣＡによる延在部３３Ａと下側板ばね２６Ａとの電気的且つ機械的な接合を安定させることができる。また、例えば環境試験後に電気抵抗値が上昇してしまうのを抑えることができる。
【００９２】
次に、図１８を参照し、傾斜内底面ＴＳについて説明する。傾斜内底面ＴＳは、突堤部８２に囲まれた内底面ＢＳの一部を構成している。図１８は、突堤部８２の拡大図であり、図１８（Ａ）〜図１８（Ｅ）を含む。図１８（Ａ）は、突堤部８２の構成例をＺ２側から見た底面図である。図１８（Ｂ）は、突堤部８２の別の構成例をＺ２側から見た底面図である。図１８（Ｃ）及び図１８（Ｄ）は、図１８（Ａ）の一点鎖線Ｌ２で示される平面をＸ１側から見たときの断面図であり、図１８（Ｄ）では、保持部７２Ａに巻き付けられた延在部３３Ａと、レンズ保持部材２に取り付けられた下側板ばね２６Ａとが追加的に図示されている。図１８（Ｅ）は、傾斜内底面ＴＳが形成されていない突堤部８２の断面図であり、図１８（Ｄ）に対応する。
【００９３】
図１８の例では、突堤部８２は、３つの壁部（内側壁部８２ｕ、外側壁部８２ｖ、側壁部８２ｗ）で構成されている。３つの壁部は、導電性接着剤ＣＡが配置される空間である収容部８２ｓを囲むように形成されている。導電性接着剤ＣＡは、収容部８２ｓの内底面ＢＳに塗布される。そして、保持部７２Ａは、突堤部８２の内側に連続して配置されている。すなわち、保持部７２Ａの側面Ｓ３、Ｓ４は、側壁部８２ｗの一部を構成している。但し、保持部７２Ａは、突堤部８２の外側に配置されていてもよい。また、保持部７２Ａは、突堤部８２から独立して配置されていてもよい。
【００９４】
図１８（Ａ）の例では、内底面ＢＳは、平坦内底面ＦＳ及び傾斜内底面ＴＳを含む。平坦内底面ＦＳは、光軸方向ＪＤに対して垂直な平面であり、傾斜内底面ＴＳは、光軸方向ＪＤに対して非垂直な平面である。傾斜内底面ＴＳは、平坦内底面ＦＳから側壁部８２ｗの端面ＥＳ（Ｚ２側の面）に向かって延び、図１８（Ｃ）に示すように、平坦内底面ＦＳに対して鋭角βを形成している。すなわち、傾斜内底面ＴＳは、突堤部８２に形成された開放部８２ｚから遠ざかるにつれてＺ２方向に上るように傾斜している。なお、傾斜内底面ＴＳは、平面ではなく、曲面で形成されていてもよい。
【００９５】
傾斜内底面ＴＳは、図１８（Ａ）に示すように、保持部７２Ａの側面Ｓ４に隣接するように配置され、且つ、コイル３を構成する線材の太さよりも顕著に大きい幅Ｗ４を有するように構成されている。但し、傾斜内底面ＴＳは、図１８（Ｂ）に示すように、コイル３を構成する線材の太さと同程度の幅Ｗ５を有するように、すなわち、スリットのような溝形状を有するように構成されていてもよい。
【００９６】
また、傾斜内底面ＴＳは、図１８（Ｄ）に示すように、収容部８２ｓを通る接続部３３ｃの延在方向に沿うように形成されている。すなわち、接続部３３ｃは、傾斜内底面ＴＳに沿って、線材の巻き付け始点である第１湾曲部ＷＰから開放部８２ｚに向かって延びるように配置されている。なお、接続部３３ｃは、開放部８２ｚから第１湾曲部ＷＰに向かって延びているとも言える。そして、接続部３３ｃの一部は、傾斜内底面ＴＳに対向しているとも言える。
【００９７】
このように、傾斜内底面ＴＳは、第１湾曲部ＷＰと開放部８２ｚ（平坦内底面ＦＳ）との間で接続部３３ｃが適切に配置されるのを可能にしている。具体的には、接続部３３ｃが突堤部８２に乗り上げないよう、収容部８２ｓ内における接続部３３ｃの配索経路が適切に形成されるようにしている。
【００９８】
より具体的には、図１８（Ｄ）における傾斜内底面ＴＳを有する構成は、開放部８２ｚのところでの接続部３３ｃと平坦内底面ＦＳとの距離Ｇ２を、図１８（Ｅ）における傾斜内底面ＴＳを有さない構成における距離Ｇ２Ｘよりも小さくすることができる。すなわち、接続部３３ｃを内底面ＢＳに近づけることができる。また、図１８（Ｄ）の構成は、開放部８２ｚのところでの接続部３３ｃと突堤部８２（外側壁部８２ｖ）の端面（Ｚ２側の面）との距離Ｇ３を、図１８（Ｅ）の構成における距離Ｇ３Ｘよりも大きくすることができる。すなわち、接続部３３ｃを突堤部８２（外側壁部８２ｖ）の端面からＺ１方向に遠ざけることができる。接続部３３ｃの配索経路がＺ１方向にシフトさせられるためである。したがって、図１８（Ｄ）の構成は、接続部３３ｃが内側壁部８２ｕに乗り上げてしまうのを防止できる。
【００９９】
また、図１８（Ｄ）の構成は、保持部７２Ａの近傍での接続部３３ｃと下側板ばね２６Ａとの距離Ｇ４を、図１８（Ｅ）の構成における距離Ｇ４Ｘよりも大きくすることができる。接続部３３ｃの配索経路がＺ１方向にシフトさせられるためである。なお、図１８（Ｄ）の例では、傾斜内底面ＴＳは、距離Ｇ４が線材の太さと同程度となるように構成されている。したがって、図１８（Ｄ）の構成は、保持部７２Ａの近傍においても、接続部３３ｃのＺ２側の表面を含む線材の全周囲が十分な厚みの導電性接着剤ＣＡで覆われるようにし、導電性接着剤ＣＡによる接続部３３ｃと下側板ばね２６Ａとの電気的且つ機械的な接合を安定させることができる。そして、接続部３３ｃと下側板ばね２６Ａとの電気的且つ機械的な接合の安定化は、電気抵抗値の安定化、及び、耐環境性（高温・高湿となり得る周囲環境の変化による影響を受け難い特性）の向上をもたらす。
【０１００】
また、図１８（Ｄ）の構成は、保持部７２Ａの近傍での接続部３３ｃと内底面ＢＳ（傾斜内底面ＴＳ）との距離Ｇ５を、図１８（Ｅ）の構成における、保持部７２Ａの近傍での接続部３３ｃと内底面ＢＳ（平坦内底面ＦＳ）との距離Ｇ５Ｘよりも小さくすることができる。内底面ＢＳが底上げされるためである。なお、図１８（Ｄ）の例では、傾斜内底面ＴＳは、距離Ｇ５が線材の太さと同程度となるように構成されている。したがって、図１８（Ｄ）の構成は、接続部３３ｃのＺ１側の空間を満たすために無駄に使用される導電性接着剤ＣＡの量を低減させることができる。また、接続部３３ｃのＺ１側の表面を含む線材の全周囲が十分な厚みの導電性接着剤ＣＡで覆われるようにし、導電性接着剤ＣＡによる接続部３３ｃと下側板ばね２６Ａとの電気的且つ機械的な接合を更に安定させることができる。
【０１０１】
なお、保持部７２Ａにおける線材の巻き付け始点は、図１８（Ｄ）に第１湾曲部ＷＰとして示されている部分である。すなわち、本実施形態においては、保持部７２Ａにおける線材の巻き付け始点は、保持部７２Ａへの線材の巻き付け順序を問わず、保持部７２Ａに巻き付けられる巻き付け部３３ｍのうち、最も保持部７２Ａの根元部側（Ｚ１側）に位置する巻き付け部の部分であって、レンズ保持部材２の一部（本実施形態では、側壁部８２ｗの端面ＥＳ）に支持されている部分である。
【０１０２】
次に、図１９を参照し、レンズ保持部材２の突設部２ｔに熱かしめ等を施して下側板ばね２６Ａをレンズ保持部材２に固定する際に発生し得る、突堤部８２からの導電性接着剤ＣＡの漏出について説明する。図１９は、突堤部８２の拡大図であり、図１９（Ａ）〜図１９（Ｄ）を含む。図１９（Ａ）〜図１９（Ｄ）は、図１８（Ａ）の一点鎖線Ｌ２で示される平面をＸ１側から見たときの断面図に相当する。図１９（Ａ）では、保持部７２Ａに巻き付けられた延在部３３Ａと、突堤部８２の内側に配置された導電性接着剤ＣＡとが追加的に図示されている。図１９（Ｂ）〜図１９（Ｄ）では、レンズ保持部材２に取り付けられた下側板ばね２６Ａが更に追加されている。
【０１０３】
本実施形態では、レンズ保持部材２は、延在部３３Ａを保持部７２Ａに巻き付けて導電性接着剤ＣＡを収容部８２ｓに充填する際に、ひっくり返される。すなわち、保持部７２Ａが鉛直上方に向かって延びるように配置される。そして、導電性接着剤ＣＡは、図１９（Ａ）に示すように、延在部３３Ａが保持部７２Ａに巻き付けられた後で、且つ、下側板ばね２６Ａがレンズ保持部材２の板ばね支持部２ｓ（図６（Ａ）参照。）の上面（Ｚ２側の面）に配置される前に、突堤部８２の内側にある収容部８２ｓに配置される。
【０１０４】
その後、下側板ばね２６Ａは、図１９（Ｂ）に示すように、板ばね支持部２ｓの上面（Ｚ２側の面）に載せられる。このとき、下側板ばね２６Ａは、突堤部８２（外側壁部８２ｖ）の端面から距離Ｇ６だけ離れた位置で保持されている。距離Ｇ６は、例えば、線材の太さと同程度の距離（例えば５０μｍ）である。延在部３３Ａ（接続部３３ｃ）のＺ２側の表面が十分な厚みの導電性接着剤ＣＡで覆われるようにするためである。
【０１０５】
導電性接着剤ＣＡは、下側板ばね２６Ａの下面（Ｚ１側の面）と接触し、図１２（Ａ）に示すように、下側板ばね２６Ａの下面に沿ってＸ方向及びＹ方向に広がる。本実施形態では、下側板ばね２６Ａは、図１２（Ａ）に示すように、突堤部８２と対向する部分である接続板部２６ｈのうち、傾斜内底面ＴＳに対向する部分以外の部分に切欠部２６ｋを有する。具体的には、接続板部２６ｈは、傾斜内底面ＴＳに対向する部分（内側壁部８２ｕ側であるＸ１側の部分）の反対側にある部分（外側壁部８２ｖ側であるＸ２側の部分）に切欠部２６ｋを有する。そのため、導電性接着剤ＣＡは、切欠部２６ｋを避けるように、下側板ばね２６Ａの下面に沿ってＸ方向及びＹ方向に広がる。すなわち、導電性接着剤ＣＡは、接続部３３ｃが通る収容部８２ｓの右側（Ｘ１側）の部分に偏り易い。その結果、導電性接着剤ＣＡは、収容部８２ｓにおける接続部３３ｃの全周囲が十分な厚みの導電性接着剤ＣＡで覆われるようにし、導電性接着剤ＣＡによる延在部３３Ａと下側板ばね２６Ａとの電気的且つ機械的な接合を安定させることができる。
【０１０６】
その後、例えばレンズ保持部材２の突設部２ｔ（図６（Ａ）参照。）に熱かしめ等が施されると、下側板ばね２６Ａは、下方（Ｚ１方向）に変位しようとする。下側板ばね２６Ａがレンズ保持部材２から浮いた状態で突設部２ｔに熱かしめ等が施されてしまわないように、下側板ばね２６Ａが治具等で押さえつけられるためである。このとき、下側板ばね２６Ａの下方（Ｚ１方向）への移動を止めることができる部材が存在しなければ、下側板ばね２６Ａは、図１９（Ｃ）に示すように、下方（Ｚ１方向）に変位して突堤部８２（内底面ＢＳ）に接近する。図１９（Ｃ）の矢印ＡＲ１は、下側板ばね２６Ａの移動方向を表し、破線は、移動前の下側板ばね２６Ａの位置を表している。
【０１０７】
下側板ばね２６Ａが突堤部８２に接近すると、導電性接着剤ＣＡは、図１９（Ｃ）に示すように、下側板ばね２６Ａに押し潰され、段部８２ｘを乗り越えて突堤部８２の外側に漏れ出す。
【０１０８】
その後、熱かしめ等が完了すると、下側板ばね２６Ａは元の位置に戻ろうとする。下側板ばね２６Ａに作用していた力が消失するためである。具体的には、下側板ばね２６Ａは、図１９（Ｄ）に示すように、上方（Ｚ２方向）に変位し、図１９（Ｂ）のときと同じ位置に戻る。図１９（Ｄ）の矢印ＡＲ２は、下側板ばね２６Ａの移動方向を表し、破線は、移動前の下側板ばね２６Ａの位置を表している。
【０１０９】
下側板ばね２６Ａが元の位置に戻ると、導電性接着剤ＣＡの一部は、図１９（Ｄ）に示すように、下側板ばね２６Ａと共に元の位置に戻るが、突堤部８２の外側に漏れ出してしまった部分は、元の位置に戻ることができない。そのため、導電性接着剤ＣＡは、突堤部８２の内側にある接続部３３ｃの全周囲を十分な厚みで覆うことができず、導電性接着剤ＣＡによる延在部３３Ａと下側板ばね２６Ａとの電気的且つ機械的な接合を安定させることができなくなってしまう。
【０１１０】
そこで、本実施形態では、レンズ保持部材２は、板ばね支持部２ｓで支持されている下側板ばね２６Ａの下方（Ｚ１方向）への移動を規制して止めることができるストッパ部ＳＰを含むように構成されている。ストッパ部ＳＰは、例えば、ガイド部ＧＤとして機能する突起部７７によって実現される。
【０１１１】
ここで、図２０を参照し、ストッパ部ＳＰの構成例について説明する。図２０は、ストッパ部ＳＰの構成例を示す図であり、図２０（Ａ）及び図２０（Ｂ）を含む。図２０（Ａ）は、コイル３及び下側板ばね２６Ａが取り付けられたレンズ保持部材２をＸ２側から見たときのレンズ保持部材２の側面図である。図２０（Ｂ）は、図２０（Ａ）に示す部分Ｑの拡大図である。
【０１１２】
図２０の例では、ストッパ部ＳＰは、ガイド部ＧＤとして機能する突起部７７で構成されている。ストッパ部ＳＰとして機能する突起部７７は、図２０（Ｂ）に示すように、Ｚ２方向において第１湾曲部ＷＰよりも突出している。すなわち、突起部７７の端面は、保持部７２Ａにおける線材の巻き付け始点である第１湾曲部ＷＰのレベルを示す線分Ｌ３よりもＺ２側に突出している。なお、図２０の例では、突起部７７の端面は、突堤部８２の端面よりもＺ２側に突出している。
【０１１３】
この構成により、ストッパ部ＳＰは、図１９（Ｂ）に示すように保持部７２Ａの近傍で突堤部８２と下側板ばね２６Ａとの間の距離Ｇ６を維持しながら、熱かしめ等の組み立て工程の際に下側板ばね２６Ａが突堤部８２に過度に接近するのを防止できる。また、熱かしめ等の組み立て工程の際に下側板ばね２６Ａによって導電性接着剤ＣＡが突堤部８２の外側に押し出されてしまうのを抑制或いは防止できる。すなわち、線材が十分な厚みの導電性接着剤ＣＡで覆われるようにするための空間を確保しながらも、下側板ばね２６Ａが突堤部８２に過度に接近するのを防止できる。
【０１１４】
一方で、突起部７７は、図２０（Ｂ）に示すように、Ｚ２方向において板ばね支持部２ｓよりは突出しないように形成されている。すなわち、突起部７７の端面は、板ばね支持部２ｓの端面のレベルを示す線分Ｌ４と同じレベルにあるか、或いは、線分Ｌ４よりもＺ１側に存在するように形成されている。
【０１１５】
この構成により、ストッパ部ＳＰ（突起部７７）の端面は、下側板ばね２６Ａから所定距離（例えば０〜１５μｍ）の位置に配置され、板ばね支持部２ｓで支持されている下側板ばね２６Ａを押してしまうこともない。
【０１１６】
次に、図２１を参照し、ストッパ部ＳＰの別の構成例について説明する。図２１は、ストッパ部ＳＰの別の構成例を示す図であり、図２１（Ａ）〜図２１（Ｃ）を含む。図２１（Ａ）は、レンズ保持部材２の側面図であり、図２０（Ａ）に対応する。図２１（Ｂ）は、図２１（Ａ）に示す部分Ｒの拡大図であり、図２０（Ｂ）に対応する。図２１（Ｃ）は、図２１（Ａ）に示す部分Ｒの下方斜視図である。
【０１１７】
図２１の例では、ストッパ部ＳＰは、ガイド部ＧＤとして機能する突起部７７、及び、突堤部８２と一体的に形成されたストッパボス８３を含む。
【０１１８】
ストッパボス８３は、図２１（Ｃ）に示すように、突堤部８２を構成する内側壁部８２ｕの先端に形成されたストッパボス８３ｕ、及び、突堤部８２を構成する外側壁部８２ｖの先端に形成されたストッパボス８３ｖを含む。
【０１１９】
図２１の例では、ストッパボス８３ｕは、線材を保持部７２に巻き付けるためのコイルワインダ等の装置と干渉しないように、内側壁部８２ｕの先端に形成されているが、保持部７２に近接する位置に形成されていてもよい。手作業で線材が保持部７２に巻き付けられる場合もあるため、すなわち、コイルワインダ等の装置が利用されない場合もあるためである。ストッパボス８３ｖについても同様である。
【０１２０】
ストッパ部ＳＰとして機能する突起部７７、ストッパボス８３ｕ、及び、ストッパボス８３ｖは何れも、図２１（Ｂ）に示すように、Ｚ２方向において第１湾曲部ＷＰよりも突出している。すなわち、３つのストッパ部ＳＰのそれぞれの端面は、第１湾曲部ＷＰのレベルを示す線分Ｌ３よりもＺ２側に突出している。なお、図２１の例では、３つのストッパ部ＳＰの突出量は同じである。
【０１２１】
この構成により、ストッパ部ＳＰは、線材が十分な厚みの導電性接着剤ＣＡで覆われるようにするための空間を確保しながらも、下側板ばね２６Ａが突堤部８２（内底面ＢＳ）に過度に接近するのを防止できる。
【０１２２】
また、ストッパボス８３ｕは、内側壁部８２ｕの端面から突出するように形成されているため、接続部３３ｃが内側壁部８２ｕに乗り上げてしまうのをより確実に防止できる。ストッパボス８３ｖについても同様である。
【０１２３】
また、ストッパボス８３ｕは、内側壁部８２ｕの内壁面の表面積を大きくするため、導電性接着剤ＣＡが突堤部８２の外側に漏れ出すのを抑制できる。ストッパボス８３ｖについても同様である。
【０１２４】
一方で、突起部７７、ストッパボス８３ｕ、及び、ストッパボス８３ｖは何れも、図２１（Ｂ）に示すように、Ｚ２方向において板ばね支持部２ｓよりは突出しないように形成されている。すなわち、３つのストッパ部ＳＰの端面は何れも、板ばね支持部２ｓの端面のレベルを示す線分Ｌ４と同じレベルにあるか、或いは、線分Ｌ４よりもＺ１側に存在するように形成されている。
【０１２５】
この構成により、３つのストッパ部ＳＰの端面は何れも、下側板ばね２６Ａから所定距離（例えば０〜１５μｍ）の位置に配置され、板ばね支持部２ｓで支持されている下側板ばね２６Ａを押してしまうこともない。
【０１２６】
なお、図２１の例では、ストッパ部ＳＰとして機能する突起部７７は省略されてもよい。また、ストッパボス８３ｕ及びストッパボス８３ｖの一方は省略されてもよい。
【０１２７】
上述のように、本発明の実施形態に係るレンズ駆動装置１０１は、レンズ体を保持可能なレンズ保持部材２と、レンズ保持部材２の外部に保持されるコイル３と、コイル３に対向して配置される磁石５とを備える。そして、レンズ駆動装置１０１は、コイル３に流れる電流と磁石５が発生する磁界とで力を発生させ、板ばね６で支持されているレンズ保持部材２を光軸方向ＪＤに沿って移動させる。コイル３は、レンズ保持部材２に保持される巻回部１３と、巻回部１３に繋がる延在部３３と、を有する。レンズ保持部材２は、延在部３３を構成する線材の巻き付け部３３ｍが巻き付けられる保持部７２と、巻き付け部３３ｍと巻回部１３との間に位置する線材部分である接続部３３ｃを板ばね６に接着させる導電性接着剤ＣＡが配置される空間を囲む突堤部８２と、保持部７２から離れた位置における突堤部８２の一部が切り欠かれて形成された開放部８２ｚと上記空間とを通る線材部分である接続部３３ｃをガイドするガイド部ＧＤとを有する。この構成により、レンズ駆動装置１０１は、線材と板ばねとの間の電気的な接続をより確実なものとすることができる。ガイド部ＧＤによってガイドされる接続部３３ｃの全周囲が十分な厚みの導電性接着剤ＣＡで覆われるためである。その結果、例えば環境試験後に電気抵抗値が上昇してしまうのを抑えることができる。また、ガイド部ＧＤは、突堤部８２で囲まれた空間である収容部８２ｓにおける接続部３３ｃの配索経路のばらつきを抑えることができる。そのため、接続部３３ｃが開放部８２ｚを通過する際に、接続部３３ｃが突堤部８２（例えば内側壁部８２ｕ）に乗り上げてしまうのを防止できる。接続部３３ｃの配索経路のばらつきを抑える機能は、突堤部８２のサイズ（例えばＸ軸方向における収容部８２ｓの幅）に制約がある場合に特に有効である。
【０１２８】
ガイド部ＧＤは、例えば、突堤部８２で囲まれた前記空間（収容部８２ｓ）の外側に配置される突起部７７であってもよい。この構成により、突起部７７は、ガイド部ＧＤとして機能し、収容部８２ｓにおける接続部３３ｃの配索経路のばらつきを抑えることができる。そのため、接続部３３ｃが突堤部８２に乗り上げてしまうのを防止できる。
【０１２９】
保持部７２は、例えば、複数の側面を有する角柱の形状（例えば４つの側面Ｓ１〜Ｓ４を有する四角柱の形状）を有していてもよい。そして、ガイド部ＧＤは、保持部７２が有する４つの側面Ｓ１〜Ｓ４のうちの１つである、接続部３３ｃの延在方向に沿った側面Ｓ４で形成されていてもよい。この構成により、側面Ｓ４は、ガイド部ＧＤとして機能し、収容部８２ｓにおける接続部３３ｃの配索経路のばらつきを抑えることができる。そのため、接続部３３ｃが突堤部８２に乗り上げてしまうのを防止できる。この構成において、側面Ｓ４の延長線が、突堤部８２に設けられた開放部８２ｚを通るように形成されていると、側面Ｓ４は、接続部３３ｃが突堤部８２に乗り上げてしまうのをより確実に防止できる。
【０１３０】
保持部７２は、略台形断面を有する四角柱の形状を有していてもよい。この場合、保持部７２の略台形断面の斜辺を構成する縁７６−１を含む側面Ｓ４は、ガイド部ＧＤとして機能する。この構成により、側面Ｓ４は、収容部８２ｓにおける接続部３３ｃの配索経路のばらつきを抑えることができる。そのため、接続部３３ｃが突堤部８２に乗り上げてしまうのを防止できる。
【０１３１】
保持部７２は、突堤部８２の内側に配置されて突堤部８２の一部を構成してもよい。この場合、突堤部８２に囲まれる内底面ＢＳは、傾斜内底面ＴＳを有していてもよい。そして、保持部７２の側面Ｓ４に隣接している傾斜内底面ＴＳは、接続部３３ｃに対向し、且つ、突堤部８２の開放部８２ｚ側から遠ざかるにつれて上るように傾斜していてもよい。この構成により、傾斜内底面ＴＳは、接続部３３ｃを内底面ＢＳに近づけることができる。また、接続部３３ｃを突堤部８２の端面からＺ１方向に遠ざけることができる。したがって、接続部３３ｃが突堤部８２に乗り上げてしまうのを防止できる。
【０１３２】
下側板ばね２６Ａは、図１２（Ａ）に示すように、突堤部８２と対向する部分である接続板部２６ｈのうち、傾斜内底面ＴＳに対向する部分以外の部分に切欠部２６ｋを有していてもよい。具体的には、接続板部２６ｈは、傾斜内底面ＴＳに対向する部分（内側壁部８２ｕ側であるＸ１側の部分）の反対側にある部分（外側壁部８２ｖ側であるＸ２側の部分）に切欠部２６ｋを有していてもよい。この構成により、下側板ばね２６Ａは、導電性接着剤ＣＡが下側板ばね２６ＡのＺ１側の表面を伝って外側壁部８２ｖの側に広がるのを防止できる。すなわち、導電性接着剤ＣＡが内側壁部８２ｕの側に広がるのを促進できる。そのため、導電性接着剤ＣＡは、接続部３３ｃが通る収容部８２ｓの右側（Ｘ１側）の部分に偏り易い。その結果、下側板ばね２６Ａは、接続部３３ｃの全周囲が十分な厚みの導電性接着剤ＣＡで覆われるようにし、導電性接着剤ＣＡによる延在部３３Ａと下側板ばね２６Ａとの電気的且つ機械的な接合を安定させることができる。
【０１３３】
レンズ保持部材２は、突堤部８２（内底面ＢＳ）側への板ばね６の移動を規制する１又は複数のストッパ部ＳＰを有していてもよい。そして、ストッパ部ＳＰは、保持部７２における線材の巻き付け始点である第１湾曲部ＷＰよりも板ばね６の側に突出するように構成されていてもよい。また、ストッパ部ＳＰの少なくとも１つは、突堤部８２の外側に配置されていてもよい。例えば、突起部７７は、突堤部８２側への板ばね６の接近等の移動を止める部材であるストッパ部ＳＰとして機能してもよい。この場合、突起部７７は、保持部７２における線材の巻き付け始点である第１湾曲部ＷＰよりも板ばね６の側に突出するように構成されていてもよい。また、ストッパ部ＳＰの少なくとも１つは、突堤部８２の一部を構成していてもよい。この構成により、ストッパ部ＳＰは、例えば図１９（Ｂ）に示すように保持部７２Ａの近傍で突堤部８２と下側板ばね２６Ａとの間の距離Ｇ６を維持しながらも、熱かしめ等の組み立て工程の際に下側板ばね２６Ａが突堤部８２に過度に接近するのを防止できる。また、熱かしめ等の組み立て工程の際に下側板ばね２６Ａによって導電性接着剤ＣＡが突堤部８２の外側に押し出されてしまうのを抑制或いは防止できる。すなわち、線材が十分な厚みの導電性接着剤ＣＡで覆われるようにするための空間を確保しながらも、下側板ばね２６Ａが突堤部８２に過度に接近するのを防止できる。
【０１３４】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１３５】
例えば、上記実施形態では、保持部７２がレンズ保持部材２（フランジ部５２）の一端部から光軸方向ＪＤに突出するように構成されているが、この構成に限定されるものではない。保持部７２は、光軸方向ＪＤとは異なる方向（例えば側方）に突出していてもよい。
【０１３６】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【０１３７】
また、上記実施形態では、下側板ばね２６Ａと延在部３３Ａとを電気的に接続し、且つ、下側板ばね２６Ｂと延在部３３Ｂとを電気的に接続する構成としたが、これに限るものではない。例えば、手振れ補正機能付きのレンズ駆動装置においては、上側板ばねを２つに分割して一対とし、延在部３３Ａ及び延在部３３Ｂのそれぞれと電気的に接続する構成であってもよい。この場合には、レンズ保持部材２の上端部側（Ｚ１側）に切欠部を有するフランジ部が設けられていてもよい。
【０１３８】
また、上記実施形態では、コイル３は、レンズ保持部材２の外周に直接巻き付けられているが、これに限るものではない。例えば、コイルは、所定の厚さで平板状に形成され、その平板面がレンズ保持部材２の外側の少なくとも１つの側面に沿って保持されるように構成されていてもよい。
【０１３９】
また、上記実施形態では、ガイド部ＧＤは、コイル３（巻回部１３）の巻き始め側の線材である延在部３３Ａ、及び、コイル３の巻き終わり側の線材である延在部３３Ｂのそれぞれに関して設けられている。但し、ガイド部ＧＤは、延在部３３Ａに関してのみ設けられていてもよい。
【符号の説明】
【０１４０】
２・・・レンズ保持部材  ２ｓ・・・板ばね支持部  ２ｔ・・・突設部  ３・・・コイル  ４・・・ヨーク  ４Ａ・・・外壁部  ４Ｂ・・・上面部  ４Ｒ・・・受け部  ４ｓ・・・収納部  ５・・・磁石  ６・・・板ばね  ７、７Ａ、７Ｂ、７Ｃ・・・端子  １２・・・筒状部  １２ｄ・・・台座部  １２ｄｈ・・・窪み  １２ｈ・・・庇部  １２ｊ・・・コイル支持部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部  ２６ｔ・・・貫通部  ２６ｘ・・・壁端面  ３３、３３Ａ、３３Ｂ・・・延在部  ３３ｃ・・・接続部  ３３ｋ・・・挿通部  ３３ｍ・・・巻き付け部  ５２・・・フランジ部  ５２ｋ・・・切欠部  ５７・・・接続部材  ７２、７２Ａ、７２Ｂ・・・保持部  ７３・・・端面  ７３ｆ・・・平坦部  ７３ｒ・・・隆起部  ７３ｒ１・・・端部  ７３ｒ２・・・連結部  ７５、７５−１〜７５−４、７６、７６−１〜７６−４・・・縁  ７７・・・突起部  ８２・・・突堤部  ８２ｓ・・・収容部  ８２ｕ・・・内側壁部  ８２ｖ・・・外側壁部  ８２ｗ・・・側壁部  ８２ｘ・・・段部  ８２ｚ・・・開放部  ８３、８３ｕ、８３ｖ・・・ストッパボス  １０１・・・レンズ駆動装置  ＢＳ・・・内底面  ＣＡ・・・導電性接着剤  ＣＰ・・・切離部  ＥＳ・・・端面  ＦＳ・・・平坦内底面  ＧＤ・・・ガイド部  ＪＤ・・・光軸方向  ＭＫ・・・駆動機構  ＲＧ・・・固定側部材  Ｓ１〜Ｓ４・・・側面  ＳＰ・・・ストッパ部  ＴＳ・・・傾斜内底面  ＷＰ・・・第１湾曲部
【図１】
2019082641.tif 000003
【図２】
2019082641.tif 000004
【図３】
2019082641.tif 000005
【図４】
2019082641.tif 000006
【図５】
2019082641.tif 000007
【図６】
2019082641.tif 000008
【図７】
2019082641.tif 000009
【図８】
2019082641.tif 000010
【図９】
2019082641.tif 000011
【図１０】
2019082641.tif 000012
【図１１】
2019082641.tif 000013
【図１２】
2019082641.tif 000014
【図１３】
2019082641.tif 000015
【図１４】
2019082641.tif 000016
【図１５】
2019082641.tif 000017
【図１６】
2019082641.tif 000018
【図１７】
2019082641.tif 000019
【図１８】
2019082641.tif 000020
【図１９】
2019082641.tif 000021
【図２０】
2019082641.tif 000022
【図２１】
2019082641.tif 000023